(57)【特許請求の範囲】
【請求項１】
カードの移送方向に移動可能なスライダと、このスライダを上記カードの排出方向へ付勢する排出ばねと、上記スライダを上記排出ばねの付勢力に抗して所定のカード装着位置にロックするロック機構とを備えるとともに、
上記スライダに上記カードと係合し上記カードを上記所定のカード装着位置に保持する係合部材を設け、
さらに、上記カードが上記係合部材によって上記所定のカード装着位置に保持されている状態にあって、上記カードが上記排出方向に動かされようとするときに、上記係合部材が変位して係合する固定部とを備え、
この固定部を上記スライダとは異なる部材に設けるとともに、上記カードが上記排出方向に動かされ上記係合部材が変位するとき、上記固定部が上記係合部材と上記排出方向に略直交する方向と係合し、かつ、上記排出方向でも係合するようにしたことを特徴とするカード用コネクタ装置。
【請求項２】
上記請求項１記載の発明において、
上記ロック機構が、ハート型カム溝と、上記スライダに設けられ、上記ハート型カム溝に沿って摺動可能なロック部材とを含むことを特徴とするカード用コネクタ装置。
【請求項３】
上記請求項２記載の発明において、
上記係合部材が、上記カードの側縁に形成される凹部に嵌入される突出部を有する板ばねから成ることを特徴とするカード用コネクタ装置。
【請求項４】
上記請求項３記載の発明において、
上記突出部の基本形状が山形状から成ることを特徴とするカード用コネクタ装置。
【請求項５】
上記請求項４記載の発明において、
上記板ばねが上記固定部に係合した際に、上記板ばねの上記突出部に当接可能な当接部を上記スライダに設け、この当接部の形状を上記突出部の山形状に倣った形状に形成したことを特徴とするカード用コネクタ装置。
【請求項６】
上記請求項３記載の発明において、
上記カードの排出位置における上記スライダの揺動を可能に支持する手段を設けたことを特徴とするカード用コネクタ装置。
【請求項７】
上記請求項１または２記載の発明において、
上記固定部を、上記カードの接触部が接触する端子部材を保持するハウジングに設けたことを特徴とするカード用コネクタ装置。
【請求項８】
上記請求項１または２記載の発明において、
上記固定部を、上記スライダを覆うカバーに設けたことを特徴とするカード用コネクタ装置。
【発明の詳細な説明】
【０００１】
【発明の属する技術分野】
本発明は、情報カードである小型メモリカード等を移送させるスライダを所定のカード装着位置にロックするロック機構を備えたカード用コネクタ装置に関する。
【０００２】
【従来の技術】
この種のカード用コネクタ装置としては、従来、小型メモリカードの移送方向に移動可能なスライダと、このスライダを小型メモリカードの排出方向へ付勢する排出ばねと、スライダを排出ばねの付勢力に抗して所定のカード装着位置にロックするロック機構を備えたものがある。ロック機構は、例えばハウジングに形成されたハート型カム溝と、スライダに設けられ、ハート型カム溝に沿って摺動可能なロック部材であるタンピン等を含んでいる。
【０００３】
また、このような構成において、小型メモリカードの側縁に凹部が形成されるとともに、この凹部に対向可能なスライダ部分に弾性片を突出させたものがある。小型メモリカードの挿入口からの挿入により、スライダの弾性片が小型メモリカードの凹部に係合し、これによってスライダに小型メモリカードが保持されるようになっている。
【０００４】
挿入口における小型メモリカードの手操作による抜き差しを可能とさせるために、小型メモリカードの抜き差しに伴って上述したように、小型メモリカードの側縁の凹部に対する係合、離脱が容易な弾性片がスライダに設けられている。
【０００５】
【発明が解決しようとする課題】
上述した従来技術では、ある程度撓む弾性片を介して所定のカード装着位置に小型メモリカードを保持することから、挿入口から出ている小型メモリカードが無理に引き抜かれると、弾性片が撓んで引き抜かれてしまう懸念がある。
【０００６】
このような懸念に対して、剛性を有する突出部をスライダに設け、その突出部を小型メモリカードの凹部に係合させ、小型メモリカードが無理に引き抜かれようとしたとき、剛性を有する突出部によって小型メモリカードの移動を阻止する構成にすることが考えられる。
【０００７】
しかし、このように構成したものでは、強い力で無理に小型メモリカードが引き抜かれようとしたときには、その強い力が突出部を介してスライダに伝えられ、さらにロック機構に与えられてしまうことになる。これにより、ロック機構が破損あるいは損傷する。例えば前述したように、ハート型カム溝と、タンピンとを含むものであれば、タンピンが破損したり、このタンピンが係止されるハート型カム溝の係止部に損傷を生じてしまう虞がある。
【０００８】
本発明は、上述した従来技術における実状からなされたもので、その目的は、所定の装着位置にあるカードの無理な引き抜きを防止でき、無理に引き抜こうとする力のロック機構への伝達を抑えることができるカード用コネクタ装置を提供することにある。
【０００９】
【課題を解決するための手段】
上記目的を達成するために、本発明は、カードの移送方向に移動可能なスライダと、このスライダを上記カードの排出方向へ付勢する排出ばねと、上記スライダを上記排出ばねの付勢力に抗して所定のカード装着位置にロックするロック機構とを備えるとともに、上記スライダに上記カードと係合し上記カードを上記所定のカード装着位置に保持する係合部材を設け、さらに、上記カードが上記係合部材によって上記所定のカード装着位置に保持されている状態にあって、上記カードが上記排出方向に動かされようとするときに、上記係合部材が変位して係合する固定部とを備え、この固定部を上記スライダとは異なる部材に設けるとともに、上記カードが上記排出方向に動かされ上記係合部材が変位するとき、上記固定部が上記係合部材と上記排出方向に略直交する方向と係合し、かつ、上記排出方向でも係合するようにした構成にしてある。
【００１０】
このように構成した本発明は、カードが所定のカード装着位置に保持されているときに、そのカードが無理に引き抜かれようとした場合には、カードを排出する方向に移動させようとする引き抜き力によってスライダの係合部材が固定部に係合する。この係合部材の固定部への係合によりカードの排出方向への移動、すなわち無理な引き抜きを防止できる。また、このときの無理に引き抜こうとする力は、係合部材を介して主にスライダとは異なる部材に設けられた固定部に伝えられる。従って、係合部材からスライダを経てロック機構に伝達される力を抑えることができる。
【００１１】
上記発明において、上記ロック機構が、ハート型カム溝と、上記スライダに設けられ、上記ハート型カム溝に沿って摺動可能なロック部材とを含む構成にしてもよい。
【００１２】
このように構成した場合には、ロック機構の構造が比較的簡単であり、しかも安定したロック機能、ロック解除機能を確保できる。
【００１３】
上記発明において、上記係合部材が、上記カードの側縁に形成される凹部に嵌入される突出部を有する板ばねから成る構成にしてもよい。
【００１４】
このように構成した場合には、カードが無理に引き抜かれようとしたときには、板ばねが撓みながら固定部に係合する。これにより無理な引き抜きの防止と、引き抜き力のスライダを介してのロック機構への伝達の抑制を実現できる。
【００１５】
上記発明において、上記突出部の基本形状が山形状から成る構成にしてもよい。
【００１６】
このように構成した場合には、カードが所定の装着位置に保持されているときに引き抜かれようとしたときには、山形状を形成する突出部の奥側に位置する部分がカードによって押圧されて撓み、この突出部を有する板ばねを、固定部に確実に係合させることができる。これにより、無理な引き抜きの防止と、無理に引き抜こうとする力のロック機構への伝達の抑制に貢献する。
【００１７】
上記発明において、上記板ばねが上記固定部に係合した際に、上記板ばねの上記突出部に当接可能な当接部を上記スライダに設け、この当接部の形状を上記突出部の山形状に倣った形状に形成してもよい。
【００１８】
このように構成した場合には、板ばねが固定部に係合した際に、板ばねの突出部に当接部が上記スライダに当接し、この当接部により板ばねの突出部の必要以上の弾性変形を防止できる。すなわち、板ばねが固定部に係合した時点で、板ばねと当接部とを含む部分が剛性を有する構造部として働くようになり、カードの排出方向への移動をほぼ完全に阻止でき、また、スライダの製作時に、板ばねの突出部に当接する当接部も同時に製作することができる。
【００２１】
上記発明において、上記カードの排出位置における上記スライダの揺動を可能に支持する手段を設けた構成にしてもよい。
【００２２】
このように構成した場合は、排出位置においてスライダが揺動することにより、スライダに設けられた板ばねの突出部によるカードに対する移動の規制が除かれ、カードの通常の引き抜き動作を円滑におこなわせることができる。
【００２３】
上記発明において、上記固定部を、上記カードの接触部が接触する端子部材を保持するハウジングに設けた構成にしてもよい。
【００２４】
このように構成した場合には、端子部材を含むハウジングの製作時に、スライダに設けられる係合部材が係合可能な固定部も同時に製作することができる。
【００２５】
上記発明において、上記固定部を、上記スライダを覆うカバーに設けた構成にしてもよい。
【００２６】
このように構成した場合には、カバーの製作時に上述の固定部も同時に製作することができる。
【００２７】
【発明の実施の形態】
以下，本発明のカード用コネクタ装置の実施形態を図に基づいて説明する。
【００２８】
図１〜１５は本発明のカード用コネクタ装置の一実施形態を示す図である。
【００２９】
図１は本発明の一実施形態の要部外観を示す平面図、図２は図１に示す一実施形態に挿抜される小型メモリカードを示す図で、（ａ）図は平面図、（ｂ）図は裏面図である。
【００３０】
本実施形態は、図１に示すように、後述のハウジング６を覆うようにカバー１を設けてあり、図１の下側に位置する手前部分が挿入口２になっている。この挿入口２から図２に示す情報カードである小型メモリカード３が挿抜される。この小型メモリカード３は、先端部分に後述のコネクタ７の端子部材８に接触する接触部５を有するとともに、一方の側縁に後述のスライダ１４との係合用の凹部４を有している。
【００３１】
図３は、図１に示す本実施形態に備えられるハウジング６を示す図で、（ａ）図は平面図、（ｂ）図は（ａ）図のＡ−Ａ断面図、（ｃ）図は図２に示す小型メモリカード３が所定の装着位置に保持された状態を示す断面図である。
【００３２】
本実施形態の本体を構成するハウジング６は、図３に示すように挿入口２に対して奥側に、上述した端子部材８を有するコネクタ７を備えている。また、一方の側部に、ロック機構を構成するハート型カム溝９を有している。挿入口２から挿入された小型メモリカード３が所定のカード装着位置に保持された状態では、図３の（ｃ）図に示すように、小型メモリカード３の接触部５とコネクタ７の端子部材８が接触する。
【００３３】
図４は図１に示す本実施形態に備えられる後述のスライダ１４の移動を規制する係合部材１０と、この係合部材１０が取り付けられる前述のカバー１との関係を示す図である。この図４の（ａ）図は係合部材１０をカバー１から取り外した状態を示す平面図、（ｂ）図は係合部材１０をカバー１に取り付けた状態を示す側面図である。
【００３４】
係合部材１０は、揺動支点を構成するビス１３を中心に揺動可能に、このビス１３によってカバー１の側面に保持させてある。この係合部材１０は、ビス１３を挟んだ一方の側に後述のスライダ１４に係止される突起部１１を有し、他方の側に後述の装着部材２３が装着される装着部１２を有している。この装着部１２は側方から見たとき、図４の（ｂ）図に示すように、互いに平行な直線部と、これらの直線部を連結する傾斜部とを含む形状となっている。カバー１の側縁には係合部材１０の突起部１１が挿入可能な穴１ａを設けてある。
【００３５】
図５は図１に示す本実施形態に備えられる上述のスライダ１４と、このスライダ１４の移動を規制する上述の係合部材１０と、この係合部材１０を操作する上述の操作部材２３との関係を示す図である。この図５の（ａ）図は平面図、（ｂ）図は（ａ）図のＢ−Ｂ断面図、（ｃ）図は係合部材１０をスライダ１４に係合させた状態を示す断面図である。図６は図１に示す本実施形態を電子機器の筐体２８に装着させた状態を示す正面図である。図７は図５に示すスライダ１４と、このスライダ１４に設けられる係合部材、すなわち板ばね１８とを示す図で、（ａ）図は平面図、（ｂ）図は正面図である。図８は図５に示すスライダ１４と、このスライダ１４に係合され、ハート型カム溝９に沿って摺動可能なロック部材、すなわちタンピン２２との接続関係を示す側断面図である。図９は図５に示す係合部材１０をスライダ１４に係合させた状態を示す裏面図である。
【００３６】
スライダ１４は、小型メモリカード３の移送方向に移動可能になっている。すなわち、このスライダ１４は、図５の（ａ）図、図７の（ａ）（ｂ）図に示すように、挿入口２から挿入された小型メモリカード３の先端部が係合可能な張り出し部１５を有している。また、図５の（ｂ）（ｃ）図、図９に示すように、前述した係合部材１０の突起部１１を収容可能な凹部１７を備えている。図５の（ｃ）図に示すように、スライダ１４の凹部１７に係合部材１０の突起部１１が収容されることにより、係合部材１０がスライダ１４に係合する。図５の（ｂ）図に示すように、係合部材１０の突起部１１が凹部１７から離脱することにより、係合部材１０とスライダ１４との係合が解かれるようになっている。
【００３７】
スライダ１４には、図５の（ａ）図、図７の（ａ）（ｂ）図に示すように、挿入口２から挿入された小型メモリカード３の凹部４に係合可能な係合部材、すなわち前述の板ばね１８を一体に設けてある。この板ばね１８には、小型メモリカード３の凹部４に嵌入可能な例えば基本形状が山形状から成る突出部１９を設けてある。また、スライダ１４には、板ばね１８の突出部１９に当接可能な当接部１６を設けてある。
【００３８】
スライダ１４の移動を規制する係合部材１０の装着部１２に装着される操作部材２３には、図５の（ｂ）（ｃ）図に示すように、係合部材１０の装着部１２が収容される長穴部２３ｃを形成してある。この操作部材２３は、図５の（ｃ）図に示すように、係合部材１０を、スライダ１４に係合させるように操作可能であるとともに、図５の（ｂ）図に示すように、係合部材１０をスライダ１４から離脱させるように操作可能になっている。
【００３９】
例えば、この操作部材２３は、係合部材１０の突起１１をスライダ１４の凹部１７に係合させる位置、すなわち図５の（ｃ）図に示す所定の第１位置と、突起部１１を凹部１７から離脱させる位置、すなわち図５の（ｂ）図に示す所定の第２位置との間で移動可能に設定してある。
【００４０】
また、操作部材２３は、図５の（ｃ）図に示す第１位置にあるときに、係合部材１０の突起部１１をスライダ１４の凹部１７に係合させる押圧力を係合部材１０に与える第１押圧部２４を有している。さらに、図５の（ｂ）図に示す第２位置にあるときに、突起部１１を凹部１７から離脱させる押圧力を係合部材１０に与える第２押圧部２５を有している。
【００４１】
図５の（ａ）図、図６に示すように、操作部材２３には、つまみ２６を一体に設けてある。この操作部材２３は、例えば図６に示すように、電子機器の筐体２８の側面などに、移動可能に取り付けられる。
【００４２】
また、上述したスライダ１４は、図５の（ａ）図、図８に示すように、張り出し部１５の反対側に位置する部分に、穴１４ａを備えている。この穴１４ａには、ロック機構を構成するロック部材、すなわちタンピン２２の第１ピン部２２ａを挿入してある。タンピン２２の第２ピン部２２ｂは、ロック機構を構成するハート型カム溝９に沿って摺動可能になっている。
【００４３】
なお、上述のハート型カム溝９は、小型メモリカード３が所定の装着位置に保持されている状態で、この小型メモリカード３を奥側へ押し動かすことによってロック機構のロックを解除させる形状に設定してある。
【００４４】
また、図５の（ａ）図に示すように、ハウジング６には、小型メモリカード３が所定のカード装着位置に保持されている状態にあって、挿入口２に向う方向、すなわち排出方向に動かされようとするときに、係合部材である板ばね１８の端部２０が係合する固定部、すなわち段部２１を設けてある。
【００４５】
図１０〜図１５は小型メモリカード３が挿入された際の動作を示す図である。
【００４６】
図１０は図２に示す小型メモリカード３の挿入時の状態を示す平面図、図１１は図２に示す小型メモリカード３を所定のカード装着位置に保持させる前のオーバストローク状態を示す平面図である。図１２は図２に示す小型メモリカード３を所定のカード装着位置に保持させた状態を示す平面図、図１３は図２に示す小型メモリカード３を排出させる際のオーバストローク状態を示す平面図である。図１４は図２に示す小型メモリカード３の排出位置における状態を示す平面図、図１５は所定のカード装着位置に保持されている小型メモリカードの無理な引き抜きがおこなわれたときの状態を示す平面図である。
【００４７】
なお、本実施形態は、小型メモリカード３の排出位置におけるスライダ１４の揺動を可能に支持する手段を備えている。この手段は図１４に示すように、排出位置において、排出ばね２７の伸長方向の仮想的な軸中心の延長線の位置を、ロック機構を構成するタンピン２２の第１ピン部２２ａの位置よりも内側に設定したことにより構成される。これにより、小型メモリカード３の排出位置では、スライダ１４の張り出し部１５が内側に向って移動するようにこのスライダ１４が揺動する。
【００４８】
上述のように構成した本実施形態における小型メモリカード３の挿抜に係る動作について、主に図１０〜１５を用いて以下に説明する。
【００４９】
［小型メモリカード挿入時の初期状態］
図１０に示すように小型メモリカード３をハウジング６の挿入口２から挿入すると、その先端部がスライダ１４の張り出し部１５に当り、スライダ１４は図１４に示す状態から同図１４において反時計回りに揺動する。これにより、スライダ１４に一体に設けられた板ばね１８の突出部１９が小型メモリカード３の凹部４に係合する。
【００５０】
［カード装着位置に保持させる前のオーバストローク状態］
小型メモリカード３がさらに押し込まれると、その押し込み力が張り出し部１５を介してスライダ１４に伝えられる。板ばね１８の突出部１９が小型メモリカード３の凹部１４に係合した状態に保持されながらスライダ１４が奥側に移動し、図１１に示すように、張り出し部１５がコネクタ７に当ったとき、小型メモリカード３の押し込みが阻止される。この間、スライダ１４によって排出ばね２７が撓められるとともに、ロック機構のタンピン２２の第２ピン部２２ｂがハート型カム溝９上を摺動する。
【００５１】
［カード装着位置に保持させた状態］上述の状態から小型メモリカード３に与えていた押し込み力を解除すると、排出ばね２７の力によりスライダ１４が挿入口２方向に戻され、図１２に示すように、このスライダ１４の移動と一体的に小型メモリカード３が挿入口２方向に移送される。また、スライダ１４の移動に追従してタンピン２２の第２ピン部２２ｂがハート型カム溝９上を摺動し、この第２ピン部２２ｂがハート型カム溝９に含まれるロック部に係合する。これにより排出ばね２７の力に抗して第２ピン部２２ｂの挿入口２方向の移動が阻止され、タンピン２２を介してスライダ１４の移動が阻止され、小型メモリカード３が所定の装着位置に保持される。
【００５２】
この状態にあっては、図３の（ｃ）図に示すように、小型メモリカード３の接触部５とコネクタ４の端子部材８とが導通する。この状態において小型メモリカード３に対する情報の伝達、すなわち電気信号の送受信が可能となる。
【００５３】
［排出させる際のオーバストローク状態］
図１２に示すように、所定のカード装着位置に保持されている小型メモリカード３を排出する場合には、再び小型メモリカード３の押し込みがおこなわれる。このときの押し込み力により図１３に示すように、張り出し部１５を介して小型メモリカード３に係合しているスライダ１４がコネクタ７に当るまで移動する。この間、再びスライダ１４によって排出ばね２７が撓められるとともに、スライダ１４の移動に追従してタンピン２２の第２ピン部２２ｂがハート型カム溝９のロック部から離れるように、このハート型カム溝９上を摺動する。
【００５４】
［排出位置における状態］
上述の状態から小型メモリカード３に与えていた押し込み力を解除させると、排出ばね２７の力によりスライダ１４及びタンピン２２の第２ピン部２２ｂがハート型カム溝９上を挿入口２方向に移動する。スライダ１４の挿入口２方向への移動により、小型メモリカード３が排出位置まで戻される。これにより図１４に示すように小型メモリカード３を挿入口２から抜き取ることができる。この間、タンピン２２の第２ピン部２２ｂがハート型カム溝９上を摺動することにより、前述したように排出ばね２７の伸長方向の仮想的な軸中心の延長線の位置が、タンピン２２の第１ピン部２２ａの位置よりも内側に位置するようになり、スライダ１４が図１３に示す状態から時計回りに移動し、図１４に示す状態となる。これにより、スライダ１４と一体に設けられた板ばね１８の突起部１９が小型メモリカード３の凹部４から離脱する。
【００５５】
通常は上述のようにして、小型メモリカード３の挿入、所定の装着位置における保持、小型メモリカード３の排出がおこなわれる。ところで、図１２に示すように、小型メモリカード３が所定の装着位置に保持されている状態で、小型メモリカード３の無理な引き抜きがおこなわれることがある。
【００５６】
［無理な引き抜き時の状態］このような場合には、図１５に示すように、小型メモリカード３の引き抜き力により板ばね１８の突出部１９の奥側に位置する部分が小型メモリカード３の凹部４を形成する縁部によって押され、この板ばね１８の端部２０がハウジング６に形成された段部２１に係合する。このとき、小型メモリカード３の凹部４を形成する縁部が板ばね１８の突出部１９に係合した状態に維持されるとともに、板ばね１８の突出部１９がスライダ１４の当接部１６に当接する。従って、板ばね１８の突出部１９と当接部１６の部分は、剛性を有する構造部となる。従って小型メモリカード３を引き抜こうとする力が、板ばね１８の端部２０からハウジング６の段部２１に伝えられ、小型メモリカード３の引き抜きが阻止される。すなわち、小型メモリカード３の無理な引き抜きを防ぐことができる。
【００５７】
次に、本実施形態における操作部材２３と係合部材１０の動作関係について主に図５を用いて説明する。
【００５８】
［操作部材の第１位置における保持］
例えば小型メモリカード３が挿入されていない状態にあっては、図５の（ａ）（ｂ）図に示すように、操作部材２３は第２位置に保持される。このとき図５の（ｂ）図に示すように、第２押圧部２５によって係合部材１０の装着部１２に押圧力が与えられ、係合部材１０の突起部１１がスライダ１４の凹部１７から離脱した状態に保たれる。従ってスライダ１４の移動が可能となる。この状態において、前述したように、小型メモリカード３の挿入口２からの挿入がおこなわれる。
【００５９】
［操作部材の第１位置への移動］
挿入口２から挿入された小型メモリカード３が所定の装着位置に保持されたとき、図５の（ａ）図、図６に示すつまみ２４を介して操作部材２３を図５の（ｂ）図の矢印２９で示すように、操作部材２３を第２位置から図５の（ｃ）図に示す第１位置まで移動させることがおこなわれる。これにより、操作部材２３の第１押圧部２４から係合部材１０の装着部１２に押圧力が与えられ、係合部材１０が揺動してその先端部１１がスライダ１４の凹部１７に係合する。これによりスライダ１４が移動しないようにロックされる。
【００６０】
［操作部材の第２位置への移動］
小型メモリカード３の排出に際しては、図５の（ｃ）図の矢印３０で示すように、つまみ２４を介して操作部材２３を第１位置から図５の（ｂ）図に示す第２位置まで移動させることがおこなわれる。これにより、前述したように操作部材２３の第２押圧部２５から係合部材１０の装着部１２に押圧力が与えられ、係合部材１０が揺動してその先端部１１がスライダ１４の凹部１７から離脱する。これによりスライダ１４の移動が可能になり、前述した小型メモリカード３の排出操作が可能となる。
【００６１】
上述のように本実施形態にあっては、小型メモリカード３が図１２に示す所定のカード装着位置に保持されているときの無理な引き抜きを防止できる。また、このときの無理に引き抜こうとする力は、段部２１を介してスライダ１４とは異なる部材であるハウジング６に伝えられる。従って、スライダ１４を経てタンピン２２の第１ピン部２２ａ、第２ピン部２２ｂ、及びハート型カム溝９のロック部に伝達される力を抑えることができ、ロック機構の破損あるいは損傷を抑制することができ、装置としての高い信頼性を確保できる。
【００６２】
また、ハウジング６の形成時に段部２１を一体に設けることができ、この段部２１に係合させる係合部材を構造が簡単な板ばね１８としたことから、小型メモリカード３の無理な引き抜きの防止を比較的安い製作費で実現できる。
【００６３】
また、スライダ１４に当接部１６を設け、小型メモリカード３が無理に引き抜かれようとしたときに、板ばね１８の突出部１９が当接部１６に当接し、この板ばね１８の突出部１９とスライダ１４の当接部１６とが剛性を有する構造物を形成する。これにより、小型メモリカード３に与えられた引き抜き力による板ばね１８の端部２０のへたりを防止でき、ロック機構の破損あるいは損傷の防止に貢献するとともに、板ばね１８の耐久性を向上させることができる。
【００６４】
また、板ばね１８の端部２０が係合する当接部１６はスライダ１４の製作時に一体に設けることができ、この点でも比較的安い製作費とすることができる。
【００６５】
また、小型メモリカード３の排出位置におけるスライダ１４の揺動を可能に支持する手段を設けたことから、排出位置において板ばね１８の突出部１９を凹部４から離脱する方向に移動させることができ、正常な小型メモリカード３の抜き取り動作を円滑におこなわせることができる。この点で装置に対する信頼性を確保できる。
【００６６】
また、所定のカード装着位置に小型メモリカード３が装着されているときには、強い衝撃が加えられても操作部材２３に保持された係合部材１０によりスライダ１４の奥側への移動が規制され、このスライダ１４を確実にロック状態に保つことができる。これによっても、装置としての信頼性を高めることができる。
【００６７】
また、スライダ１４のロック機構を、ハート型カム溝９とロック部材であるタンピン２２とによって構成してあるので、比較的簡単な構造とすることができるとともに、安定したロック機能と、ロック解除機能を確保できる。
【００６８】
また、操作部材２３を第１位置へ移動、あるいは第２位置へ移動させるだけの簡単な操作で、スライダ１４のロック、あるいはロック解除を実現でき、優れた操作性を確保できる。
【００６９】
また、操作部材２３に設けた第１押圧部２４、第２押圧部２５を介して、スライダ１４を確実にロック、あるいはロック解除させることができるとともに、第１押圧部２４、第２押圧部２５は操作部材２３の製作時に形成することができるので、製作費を安く抑えることができる。
【００７０】
また、係合部材１０に設けた突起部１１と、スライダ１４に設けた凹部１７とにより、スライダ１４を確実にロック、あるいはロック解除させることができ、突起部１１は係合部材１０の製作時に一体に設けることができ、凹部１７はスライダ１４の製作時に一体に設けることができ、この点でも製作費を安く抑えることができる。
【００７１】
なお、上記実施形態は、スライダ１４に一体に設けた板ばね１８の端部２０が係合する段部２１すなわち固定部を、ハウジング６に設けたが、本発明は、このように構成することには限られず、板ばね１８の端部２０が係合する固定部をカバー１に設ける構成にしてもよい。
【００７２】
このように構成した場合には、小型メモリカード３の無理な引き抜き時には、その引き抜き力が主にカバー１に伝達され、従って引き抜き力がスライダ１４を介してロック機構に伝達されることを抑えることができ、ロック機構の破損及び損傷を抑制することができる。
【００７３】
図１６はスライダ１４の移動を規制する係合部材１０と操作部材２３との別の装着関係を示す図で、（ａ）図は係合部材１０をスライダ１４から離脱させた状態を示す断面図、（ｂ）図は係合部材１０をスライダ１４に係合させた状態を示す断面図、（ｃ）図は（ａ）図のＣ部拡大図である。
【００７４】
図１６の（ａ）〜（ｃ）図に示すように、係合部材１０の装着部１２に第１穴１０ａと第２穴１０ｂを設け、操作部材２３に、上述の第１穴１０ａ内に嵌入可能な第１突起２３ａと、上述の第２穴１０ｂ内に嵌入可能な第２突起２３ｂとを設けた構成にしてもよい。
【００７５】
図１６の（ｂ）図に示すように、操作部材２３が第１位置にあるときには、係合部材１０の装着部１２に設けた第１穴１０ａに操作部材２３の第１突起２３ａが嵌入され、これによって操作部材２３が移動しないように係止される。すなわち、係合部材１０の装着部１２の第１穴１０ａと、操作部材２３の第１突起２３ａとは、操作部材２３を図１６の（ｂ）図に示す第１位置に係止させる第１係止手段を構成している。
【００７６】
図１６の（ａ）（ｃ）図に示すように、操作部材２３が第２位置にあるときには、係合部材１０の装着部１２に設けた第２穴１０ｂに操作部材２３の第２突起２３ｂが嵌入され、これによって操作部材２３が移動しないように係止される。すなわち、係合部材１０の装着部１２の第２穴１０ｂと、操作部材２３の第２突起２３ｂとは、操作部材２３を図１６の（ａ）（ｃ）図に示す第２位置に係止させる第２係止手段を構成している。
【００７７】
このように構成したものでは、例えば図１６の（ｂ）図に示す第１位置に操作部材２３が係止されているときに、装置に強い衝撃が加えられても、操作部材２３の移動を防ぐことができ、これにより係合部材１０の突起部１１のスライダ１４の凹部１７からの離脱を防ぐことができ、より確実にスライダ１４をロック状態に保つことができる。
【００７８】
【発明の効果】
本発明によれば、固定部と係合部材との係合を、排出方向および排出方向に略直交する方向の２方向で行うので、所定の装着位置にあるカードの無理な引き抜きを防止でき、無理に引き抜こうとする力のロック機構への伝達を抑えることができる。これによりロック機構の破損あるいは損傷を防止でき、従来に比べて装置としての信頼性を高めることができる。
【００７９】
係合部材を、カードの側縁に形成される凹部に嵌入される突出部を有する板ばねによって構成してもよい。このように構成した場合には、構造が簡単で製作費を安くすることができる。
【００８０】
上述の板ばねの突出部に当接可能な当接部をスライダに設け、この当接部の形状を突出部の山形状に倣った形状に形成するように構成してもよい。このように構成した場合には、カードの無理な引き抜きにおいて板ばねに剛性を与えることができる。従って、ロック機構の破損あるいは損傷の防止に貢献するとともに、板ばねの耐久性を向上させることができる。また、スライダの製作時に当接部も一体に設けることができ、特別な部材を要することがなく、製作費を安く抑えることができる。
【００８２】
上述のように係合部材を板ばねに設けるとともに、カードの排出位置におけるスライダの揺動を可能に支持する手段を設けた構成にしてもよい。このように構成した場合には、排出位置において板ばねの突出部をカードの凹部から離脱させる方向にスライダを揺動させることができ、カードの円滑な抜き取りを可能にさせる。
【００８３】
上述した係合部材が係合する固定部をハウジング、あるいはカバーに設けた構成にしてもよい。このように構成した場合には、ハウジングあるいはカバーの製作時に固定部を一体に設けることができ、製作費を安くすることに貢献する。
【図面の簡単な説明】
【図１】本発明のカード用コネクタ装置の一実施形態の要部外観を示す平面図である。
【図２】図１に示す一実施形態に挿抜される小型メモリカードを示す図で、（ａ）図は平面図、（ｂ）図は裏面図である。
【図３】図１に示す一実施形態に備えられるハウジングを示す図で、（ａ）図は平面図、（ｂ）図は（ａ）図のＡ−Ａ断面図、（ｃ）図は図２に示す小型メモリカードが所定のカード装着位置に保持された状態を示す断面図である。
【図４】図１に示す一実施形態に備えられるスライダの移動を規制する係合部材と、この係合部材が取り付けられるカバーとの関係を示す図で、（ａ）図は係合部材をカバーから取り外した状態を示す平面図、（ｂ）図は係合部材をカバーに取り付けた状態を示す側面図である。
【図５】図１に示す一実施形態に備えられるスライダと、このスライダの移動を規制する係合部材と、この係合部材を操作する操作部材との関係を示す図で、（ａ）図は平面図、（ｂ）図は（ａ）図のＢ−Ｂ断面図、（ｃ）図は係合部材をスライダに係合させた状態を示す断面図である。
【図６】図１に示す一実施形態を電子機器の筐体に装備させた状態を示す正面図である。
【図７】図５に示すスライダと、このスライダに設けられる係合部材、すなわち板ばねとを示す図で、（ａ）図は平面図、（ｂ）図は正面図である。
【図８】図５に示すスライダと、このスライダに係合され、ハート型カム溝に沿って摺動可能なロック部材、すなわちタンピンとの接続関係を示す側断面図である。
【図９】図５に示す係合部材をスライダに係合させた状態を示す裏面図である。
【図１０】図２に示す小型メモリカードの挿入時の状態を示す平面図である。
【図１１】図２に示す小型メモリカードを所定のカード装着位置に保持させる前のオーバストローク状態を示す平面図である。
【図１２】図２に示す小型メモリカードを所定のカード装着位置に保持させた状態を示す平面図である。
【図１３】図２に示す小型メモリカードを排出させる際のオーバストローク状態を示す平面図である。
【図１４】図２に示す小型メモリカードの排出位置における状態を示す平面図である。
【図１５】所定のカード装着位置に保持されている小型メモリカードの無理な引き抜きがおこなわれたときの状態を示す平面図である。
【図１６】スライダの移動を規制する係合部材と操作部材との別の装着関係を示す図で、（ａ）図は係合部材をスライダから離脱させた状態を示す断面図、（ｂ）図は係合部材をスライダに係合させた状態を示す断面図、（ｃ）図は（ａ）図のＣ部拡大図である。
【符号の説明】
１    カバー
１ａ  穴
２    挿入口
３    小型メモリカード
４    凹部
５    接触部
６    ハウジング
７    コネクタ
８    端子部材
９    ハート型カム溝〔ロック機構〕
１０    係合部材
１０ａ  第１穴（第１係止手段）
１０ｂ  第２穴（第２係止手段）
１１    突起部
１２    装着部
１３    ビス（揺動支点）
１４    スライダ
１４ａ  穴
１５    張り出し部
１６    当接部
１７    凹部
１８    板ばね（係合部材）
１９    突出部
２０    端部
２１    段部（固定部）
２２    タンピン（ロック部材）〔ロック機構〕
２２ａ  第１ピン部
２２ｂ  第２ピン部
２３    操作部材
２３ａ  第１突起（第１係止手段）
２３ｂ  第２突起（第２係止手段）
２３ｃ  長穴部
２４    第１押圧部
２５    第２押圧部
２６    つまみ
２７    排出ばね
２８    筐体
２９    矢印
３０    矢印
【図１】
0003830852.tif 000002
【図２】
0003830852.tif 000003
【図３】
0003830852.tif 000004
【図４】
0003830852.tif 000005
【図５】
0003830852.tif 000006
【図６】
0003830852.tif 000007
【図７】
0003830852.tif 000008
【図８】
0003830852.tif 000009
【図９】
0003830852.tif 000010
【図１０】
0003830852.tif 000011
【図１１】
0003830852.tif 000012
【図１２】
0003830852.tif 000013
【図１３】
0003830852.tif 000014
【図１４】
0003830852.tif 000015
【図１５】
0003830852.tif 000016
【図１６】
0003830852.tif 000017